(57)【要約】【課題】  表示システムでの、非インタレースフォーマットの立体画像をインタレースフォーマットに変換するために使用される立体画像フォーマット変換方法を提供すること。【解決手段】  本発明は、表示システムでの、非インタレースフォーマットの立体画像をインタレースフォーマットに変換するために使用される立体画像フォーマット変換方法を開示する。立体画像のアスペクト比がパネルのアスペクト比と等しくない場合、本発明の立体画像フォーマット変換方法を使用して、立体画像のフォーマット、パネルのアスペクト比、および立体画像のアスペクト比に従って立体画像の左目画像データおよび右目画像データをインタレースさせて、完全にインタレースされた立体画像を形成することができる。【選択図】  図７
2008118617.tif 000002
【特許請求の範囲】
【請求項１】
表示システムでの、非インタレースフォーマットの立体画像をインタレースフォーマットに変換するために使用される立体画像フォーマット変換方法であって、前記表示システムは第１のアスペクト比を有するパネルを備え、前記立体画像は第２のアスペクト比を有するとともに、左目画像データおよび右目画像データを含み、該方法は、
（ａ）前記立体画像を受信するステップと、
（ｂ）前記立体画像の前記第２のアスペクト比が前記パネルの前記第１のアスペクト比と等しいか否かを判断するステップであって、等しくない場合、ステップ（ｃ）を実行する、判断するステップと、
（ｃ）前記非インタレースフォーマット、前記パネルの前記第１のアスペクト比、および前記立体画像の前記第２のアスペクト比に従って前記立体画像の前記左目画像データおよび前記右目画像データをインタレースさせるステップと、
を含む立体画像フォーマット変換方法。
【請求項２】
前記ステップ（ｂ）は、
（ｂ１）前記パネルの前記第１のアスペクト比および前記立体画像の前記第２のアスペクト比に従って前記立体画像の第１のエッジ、第２のエッジ、および境界を求めるステップと、
（ｂ２）前記第１のエッジと前記第２のエッジとの間のエリアを除く前記パネル上のすべてのピクセルを見つけ出すステップであって、各ピクセルはＮ色成分およびＮ個のグレーレベルを含み、各グレーレベルは前記Ｎ色成分のうちの１つに対応し、Ｎは自然数である、見つけ出すステップと、
（ｂ３）前記ステップ（ｂ２）での各ピクセルのＮ個のグレーレベルの最大値が第１の閾値よりも大きいか否かを判断するステップと、
（ｂ４）前記第１の閾値よりも大きい前記最大グレーレベルを有するピクセルの数をカウントするステップと、
（ｂ５）該ステップ（ｂ４）においてカウントされたピクセルの数が第２の閾値よりも大きいか否かを判断し、大きくない場合、前記立体画像の前記第２のアスペクト比が前記パネルの前記第１のアスペクト比と異なると判断するステップと、
をさらに含む、請求項１に記載の立体画像フォーマット変換方法。
【請求項３】
前記ステップ（ｃ）は、
（ｃ１）前記立体画像の前記非インタレースフォーマット、前記第１のエッジ、および前記境界に従って前記立体画像の前記左目画像データを複数の第１の走査線に変換するステップと、
（ｃ２）前記立体画像の前記非インタレースフォーマット、前記第２のエッジ、および前記境界に従って前記立体画像の前記右目画像データを複数の第２の走査線に変換するステップと、
（ｃ３）前記第１の走査線および前記第２の走査線をインタレースさせるステップと、
をさらに含む、請求項２に記載の立体画像フォーマット変換方法。
【請求項４】
前記非インタレースフォーマットは左右表示フォーマットまたは上下表示フォーマットである、請求項１に記載の立体画像フォーマット変換方法。
【請求項５】
非インタレースフォーマットの立体画像をインタレースフォーマットに変換する表示システムであって、
第１のアスペクト比を有するパネルと、
前記立体画像を受信して復号化するデコーダであって、前記立体画像は第２のアスペクト比を有するとともに、左目画像データおよび右目画像データを含む、デコーダと、
前記立体画像の前記第２のアスペクト比が前記パネルの前記第１のアスペクト比と等しいか否かを判断し、等しくない場合、前記非インタレースフォーマット、前記パネルの前記第１のアスペクト比、および前記立体画像の前記第２のアスペクト比に従って前記立体画像の前記左目画像データおよび前記右目画像データをインタレースさせる変換装置と、
を備える表示システム。
【請求項６】
前記デコーダと前記変換装置との間にスケーラをさらに備え、該スケーラは、前記立体画像を前記パネルの固有の解像度に適合するようにスケーリングするために使用される、請求項５に記載の表示システム。
【請求項７】
前記非インタレースフォーマットは左右表示フォーマットまたは上下表示フォーマットである、請求項５に記載の表示システム。
【請求項８】
前記変換装置は、
選択的に、前記左右表示フォーマットを有する前記立体画像を第１の判断ユニットに送り、または前記上下表示フォーマットを有する前記立体画像を第２の判断ユニットに送る処理ユニットと、
該処理ユニットに結合され、前記左右表示フォーマットの前記立体画像の前記第２のアスペクト比が前記パネルの前記第１のアスペクト比と等しいか否かを判断する前記第１の判断ユニットと、
該処理ユニットに結合され、前記上下表示フォーマットの前記立体画像の前記第２のアスペクト比が前記パネルの前記第１のアスペクト比と等しいか否かを判断する前記第２の判断ユニットと、
前記第１の判断ユニットおよび前記第２の判断ユニットのそれぞれに結合され、前記非インタレースフォーマット、前記パネルの前記第１のアスペクト比、および前記立体画像の前記第２のアスペクト比に従って前記立体画像の前記左目画像データおよび前記右目画像データをインタレースさせる変換ユニットと、
を備える、請求項７に記載の表示システム。
【請求項９】
前記第１の判断ユニットまたは前記第２の判断ユニットは、前記パネルの前記第１のアスペクト比および前記立体画像の前記第２のアスペクト比に従って前記立体画像の第１のエッジ、第２のエッジ、または境界を求めること、前記第１のエッジと前記第２のエッジとの間のエリアを除く前記パネル上のすべてのピクセルを選択することであって、各ピクセルはＮ色成分およびＮ個のグレーレベルを含み、各グレーレベルは前記Ｎ色成分のうちの１つに対応し、Ｎは自然数である、選択すること、前記第１のエッジと前記第２のエッジとの間のエリアを除く前記パネル上の各ピクセルのＮ個のグレーレベルの最大値が第１の閾値よりも大きいか否かを判断すること、前記第１の閾値よりも大きな最大グレーレベルを有するピクセルの数をカウントすること、および前記カウントされたピクセルの数が第２の閾値よりも大きいか否かを判断することであって、大きくない場合、前記立体画像の前記第２のアスペクト比が前記パネルの前記第１のアスペクト比と異なると判断することを実行する、請求項８に記載の表示システム。
【請求項１０】
前記変換ユニットは、前記立体画像の前記非インタレースフォーマット、前記第１のエッジ、および前記境界に従って前記立体画像の前記左目画像データを複数の第１の走査線に変換すること、前記立体画像の前記非インタレースフォーマット、前記第２のエッジ、および前記境界に従って前記立体画像の前記右目画像データを複数の第２の走査線に変換すること、次に前記第１の走査線および前記第２の走査線をインタレースさせることを実行する、請求項９に記載の表示システム。
【発明の詳細な説明】
【技術分野】
【０００１】
本発明は、立体画像変換方法に関し、特に、非インタレースフォーマットの立体画像をインタレースフォーマットに変換する方法に関する。
【背景技術】
【０００２】
一般に、３Ｄ立体画像は、視角の異なる２組の画像データを組み合わせることによって形成され、１組の画像データは左目視角に対応し、他方の組の画像データは右目の視角に対応する。３Ｄ立体画像が表示されるとき、視聴者の左目は単に左目視角に対応する画像データを見るにすぎず、視聴者の右目は単に右目視角に対応する画像データを見るにすぎない。したがって、立体ビジョンは視聴者の脳で生成される。
【０００３】
図１Ａおよび図１Ｂを参照すると、図１Ａは、アナグリフ立体画像を示す概略図である。図１Ｂは、アナグリフ立体画像を見るための１つのメガネを示す外観図である。これまで、画像データを左目画像データおよび右目画像データに分けるいくつかの方法が開示されてきた。たとえば、アナグリフ理論が立体画像に適用される。はじめに、通常画像が左目画像データおよび右目画像データに分けられる。その後、左目画像データまたは右目画像データの赤色または青色がそれぞれフィルタリングされて取り出される。最後に、図１Ａに示すように、立体画像が、前に処理された２つの画像データをインタレースさせることによって形成される。図１Ｂに示すように、視聴者は、左目および右目が各色の画像を見ることができるように、片目が赤一色および他方の片目が青一色の１つのメガネを装着する必要がある。その結果として、視聴者は立体画像を見ることになる。
【０００４】
別の技法は、偏光子を利用して、画像を左目画像データおよび右目画像データに分けることができるように２つの偏光の異なる画像を生成する。たとえば、１台のプロジェクタから発せられる光が他方のプロジェクタから発せられる光と９０度異なるように、偏光子を２台のプロジェクタの各レンズにそれぞれ取り付けることができる。次いで、偏光を保つことが可能なスクリーンを使用することにより、視聴者は両目の偏光が異なる１つのメガネを装着して立体画像を見ることができる。
【０００５】
組み立て技法の進歩に伴い、液晶ディスプレイ（ＬＣＤ）と同じ線幅を有する偏光フィルムが製造されている。偏光フィルムを通して、奇数線の偏光は偶数線の偏光に直交する。視聴者は、適当な偏光を有する１つのメガネを装着した場合、立体画像を見ることになる。
【０００６】
しかし、パネルのアスペクト比が立体画像のアスペクト比に適合しない場合、画像のフォーマットは誤ったフォーマットに変換されることになり、立体画像を形成することができない。
【０００７】
図２Ａを参照すると、図２Ａは、左右表示フォーマットがインタレースフォーマットに変換されている立体画像１０を示す概略図である。図２Ａに示すように、パネル１２はインタレース式パネルであり、パネル１２のアスペクト比は１６：１０（解像度は１６８０＊１０５０）であり、立体画像１０のアスペクト比は４：３である。立体画像１０のフォーマットが別のフォーマットに変換されているとき、パネル１２上の画像１０の左部分は幅１６８０に拡張され、図２Ａに示す画像１０ａとして奇数走査線に変換される。パネル１２上の画像１０の右部分もまた幅１６８０に拡張され、図２Ａに示す画像１０ｂとしての偶数走査線に変換される。最後に、奇数および偶数の走査線をインタレースさせて、立体画像を形成することができる。
【０００８】
図２Ｂを参照すると、図２Ｂは、立体画像１０のインタレースフォーマットを示す概略図である。明らかに、視聴者を不快にさせることになるため、左目画像データと右目画像データとのインタレースによって完全な立体画像を形成することはできない。
【０００９】
図３Ａを参照すると、図３Ａは、上下表示フォーマットがインタレースフォーマットに変換されている立体画像１４を示す概略図である。図３Ａに示すように、パネル１６はインタレース式パネルであり、パネル１６のアスペクト比は１６：１０（解像度は１６８０＊１０５０）であり、立体画像１４のアスペクト比は１６：９である。立体画像１４のフォーマットが別のフォーマットに変換されているとき、パネル１６上の画像１４の上部は高さ１０５０に拡張され、図３Ａに示す画像１４ａとして奇数走査線に変換される。パネル１６上の画像１４の下部も高さ１０５０に拡張され、図３Ａに示す画像１４ｂとして偶数走査線に変換される。最後に、奇数および偶数の走査線をインタレースさせて立体画像を形成することができる。
【００１０】
図３Ｂを参照すると、図３Ｂはインタレースフォーマットの立体画像１４を示す概略図である。明らかに、視聴者を不快にさせることになるため、左目画像データと右目画像データとのインタレースによって完全な立体画像を形成することはできない。
【発明の開示】
【発明が解決しようとする課題】
【００１１】
したがって、表示システムでの、本発明の主要目的は、非インタレースフォーマットの立体画像をインタレースフォーマットに変換する方法を提供して、上記問題を解決することである。
【課題を解決するための手段】
【００１２】
本発明の目的は、立体画像のフォーマット、パネルの第１のアスペクト比、および立体画像の第２のアスペクト比に従って立体画像の左目画像データおよび右目画像データをインタレースさせて、完全にインタレースされた立体画像を形成することにより立体画像のフォーマットを変換する方法を提供することである。
【００１３】
好ましい実施形態では、表示システムにおいて、本発明の方法が非インタレースフォーマットの立体画像をインタレースフォーマットに変換するために使用される。表示システムのパネルは第１のアスペクト比を有し、立体画像は第２のアスペクト比を有するとともに、左目画像データおよび右目画像データを含む。本発明の方法は以下のステップを含む。
【００１４】
はじめに、立体画像が受信される。その後、立体画像の第２のアスペクト比がパネルの第１のアスペクト比と等しいか否かが判断され、等しい場合、非インタレースフォーマットの立体画像が一般的な様式でインタレースフォーマットに変換され、等しくない場合、立体画像の左目画像データおよび右目画像データが、立体画像の非インタレースフォーマット、パネルの第１のアスペクト比、および立体画像の第２のアスペクト比に従ってインタレースされて、完全にインタレースされた立体画像が形成される。
【００１５】
したがって、立体画像のアスペクト比がパネルのアスペクト比と等しくない場合であっても、本発明の方法は、立体画像のフォーマット、パネルのアスペクト比、および立体画像のアスペクト比に従って非インタレースフォーマットの立体画像をインタレースフォーマットに変換する。換言すれば、本発明は、画像のアスペクト比に影響することなく画像を補正して、完全にインタレースされた立体画像を形成することができる。
【００１６】
本発明の利点および精神は、添付図面と併せて以下の詳述により理解することができる。
【発明を実施するための最良の形態】
【００１７】
図４を参照すると、図４は、本発明の好ましい実施形態による表示システム３を示す機能ブロック図である。表示システム３は、デコーダ３０、スケーラ３２、変換装置３４、および第１のアスペクト比を有するパネル３６を備える。
【００１８】
この実施形態では、デコーダ３０は立体画像５の受信および復号化に使用される。非インタレースフォーマットおよび第２のアスペクト比を有する立体画像５は、左目画像データおよび右目画像データを含む。スケーラ３２は、パネル３６の固有の解像度に適合するように立体画像５をスケーリングするために使用される。変換装置３４は、非インタレースフォーマットの立体画像５をインタレースフォーマットに変換するために使用される。
【００１９】
この実施形態では、非インタレースフォーマットの立体画像５は、左右表示フォーマットまたは上下表示フォーマットであってよい。本発明が左右表示フォーマットまたは上下表示フォーマットをインタレースフォーマットにどのように変換するかを説明するために、いくつかの例を利用する。
【００２０】
左右表示フォーマットの立体画像
図５Ａを参照すると、図５Ａは、左右表示フォーマットがインタレースフォーマットに変換されている立体画像５を示す概略図である。図５Ａに示すように、パネル３６はインタレース式パネルであり、パネルのアスペクト比は１６：１０（解像度は１６８０＊１０５０）であるがこれに限定されず、立体画像５のアスペクト比は４：３であるがこれに限定されない。
【００２１】
図５Ｂを参照すると、図５Ｂは、本発明による、立体画像５のアスペクト比がパネル３６のアスペクト比に等しいか否かを判断するフローチャートである。まず、本発明の方法は、立体画像５のアスペクト比がパネル３６のアスペクト比に等しいか否かを判断する。
【００２２】
はじめに、ステップＳ１００が実行されて、パネル３６のアスペクト比（１６：１０）および立体画像５のアスペクト比（４：３）に従って立体画像５の第１のエッジ５０、第２のエッジ５２、および境界５４が求められる。
【００２３】
その後、ステップＳ１０２が実行されて、第１のエッジ５０と第２のエッジ５２との間のエリアを除くパネル３６上のすべてのピクセル（すなわち、図５Ａに示すエリアＡ１およびＡ２内のすべてのピクセル）が見つけ出される。各ピクセルは、Ｎ色成分およびＮ個のグレーレベルを含み、各グレーレベルはＮ色成分のうちの１つに対応し、Ｎは自然数である。この実施形態では、各ピクセルは３色成分、すなわちＲＧＢを含む。
【００２４】
ステップＳ１０４が次に実行されて、エリアＡ１およびＡ２（図５Ａに示す）内の各ピクセルの３つのグレーレベルの最大値が第１の閾値よりも大きいか否かが判断される。第１の閾値は実用途に基づいて設定することができる。たとえば、第１の閾値は１５に等しいグレーレベルとして設定することができる。
【００２５】
ステップＳ１０６が次に実行されて、第１の閾値よりも大きい最大グレーレベルを有するピクセルの数がカウントされる。
【００２６】
最後に、ステップＳ１０８が実行されて、ステップＳ１０６においてカウントされたピクセルの数が第２の閾値よりも大きいか否かが判断される。その数が第２の閾値よりも小さい場合、立体画像５のアスペクト比はパネル３６のアスペクト比に等しくない。第２の閾値を実用途に基づいて設定できることに留意されたい。たとえば、第２の閾値を１５として設定することができる。
【００２７】
図５Ｃおよび図５Ｄを参照すると、図５Ｃは、本発明により左右表示フォーマットがインタレースフォーマットに変換されている立体画像５を示すフローチャートである。図５Ｄは、本発明の方法により形成されている完全にインタレースされた立体画像を示す概略図である。この実施形態では、立体画像５のアスペクト比（４：３）はパネル３６のアスペクト比（１６：１０）と等しくないため、本発明の方法は、立体画像５のフォーマット（左右表示）、パネル３６のアスペクト比（１６：１０）、および立体画像５のアスペクト比（４：３）に従って左右表示フォーマットの立体画像５をインタレースフォーマットに変換する。
【００２８】
はじめに、ステップＳ２００が実行されて、立体画像５の左目画像データ（すなわち、図５Ａに示すエリアＬ）が、立体画像の左右表示フォーマット、第１のエッジ５０、および境界５４に従って複数の第１の走査線Ｌ１に変換される。
【００２９】
その後、ステップＳ２０２が実行されて、立体画像５の右目画像データ（すなわち、図５Ａに示すエリアＲ）が、立体画像の左右表示フォーマット、第２のエッジ５２、および境界５４に従って複数の第２の走査線Ｒ１に変換される。
【００３０】
最後に、ステップＳ２０４が実行されて、すべての第１の走査線Ｌ１およびすべての第２の走査線Ｒ１がインタレースされて、図５Ｄに示すように完全にインタレースされた立体画像が形成される。
【００３１】
本発明では、ステップＳ２０２を最初に実行し、その後、ステップＳ２００を実行してもよいことに留意されたい。
【００３２】
上下表示フォーマットの立体画像
図６Ａを参照すると、図６Ａは、上下表示フォーマットがインタレースフォーマットに変換されている立体画像５を示す概略図である。図６Ａに示すように、パネル３６はインタレース式パネルであり、パネルのアスペクト比は１６：１０（解像度は１６８０＊１０５０）であるがこれに限定されず、立体画像５のアスペクト比は１６：９であるがこれに限定されない。
【００３３】
まず、本発明の方法は、立体画像５のアスペクト比がパネル３６のアスペクト比に等しいか否かを判断する。
【００３４】
はじめに、パネル３６のアスペクト比（１６：１０）および立体画像５のアスペクト比（１６：９）に従って立体画像５の第１のエッジ５０、第２のエッジ５２、および境界５４が求められる。
【００３５】
その後、第１のエッジ５０と第２のエッジ５２との間のエリアを除くパネル３６上のすべてのピクセル（すなわち、図６Ａに示すエリアＡ１およびＡ２内のすべてのピクセル）が見つけ出される。
【００３６】
次に、エリアＡ１およびＡ２（図６Ａに示す）内の各ピクセルの３つのグレーレベル（ＲＧＢ）の最大値が第１の閾値よりも大きいか否かを判断する。第１の閾値は実用途に基づいて設定することができる。たとえば、第１の閾値は１５に等しいグレーレベルとして設定することができる。
【００３７】
次に、第１の閾値よりも大きい最大グレーレベルを有するピクセルの数がカウントされる。
【００３８】
最後に、カウントされたピクセルの数が第２の閾値よりも大きいか否かが判断される。その数が第２の閾値よりも小さい場合、立体画像５のアスペクト比はパネル３６のアスペクト比に等しくない。第２の閾値を実用途に基づいて設定できることに留意されたい。たとえば、第２の閾値を１５として設定することができる。
【００３９】
図６Ｂは、本発明の方法により形成されている完全にインタレースされた立体画像を示す概略図である。この実施形態では、立体画像５のアスペクト比（１６：９）はパネル３６のアスペクト比（１６：１０）と等しくないため、本発明の方法は、立体画像５のフォーマット（上下表示）、パネル３６のアスペクト比（１６：１０）、および立体画像５のアスペクト比（１６：９）に従って上下表示フォーマットの立体画像５をインタレースフォーマットに変換する。
【００４０】
はじめに、立体画像５の左目画像データ（すなわち、図６Ａに示すエリアＬ）が、立体画像５の上下表示フォーマット、第１のエッジ５０、および境界５４に従って複数の第１の走査線Ｌ１に変換される。
【００４１】
その後、立体画像５の右目画像データ（すなわち、図６Ａに示すエリアＲ）が、立体画像５の上下表示フォーマット、第２のエッジ５２、および境界５４に従って複数の第２の走査線Ｒ１に変換される。
【００４２】
最後に、すべての第１の走査線Ｌ１およびすべての第２の走査線Ｒ１がインタレースされて、図６Ｂに示すような完全にインタレースされた立体画像が形成される。
【００４３】
図７を参照すると、図７は、本発明の好ましい実施形態による変換装置３４を示す機能ブロック図である。変換装置３４は、処理ユニット３４０、第１の判断ユニット３４２、第２の判断ユニット３４４、および変換ユニット３４６を備える。処理ユニット３４０は、左右表示フォーマットの立体画像５を第１の判断ユニット３４２に送るか、または上下表示フォーマットの立体画像５を第２の判断ユニット３４４に送る。第１の判断ユニット３４２は、左右表示フォーマットの立体画像５のアスペクト比がパネル３６のアスペクト比と等しいか否かを判断する。第２の判断ユニット３４４は、上下表示フォーマットの立体画像５のアスペクト比がパネル３６のアスペクト比に等しいか否かを判断する。変換ユニット３４６は、立体画像５のフォーマット（左右表示または上下表示）、パネル３６のアスペクト比、および立体画像５のアスペクト比に従って立体画像５の左目画像データおよび右目画像データをインタレースさせて、完全にインタレースされた立体画像を形成する。したがって、立体画像が繰り返し再生されるとき、パネルのアスペクト比（解像度）が立体画像と等しくない場合でも誤った画像は形成されない。
【００４４】
従来技術と比較して、立体画像のアスペクト比がパネルのアスペクト比と等しくない場合であっても、本発明の方法を使用して、立体画像のフォーマット、パネルのアスペクト比、および立体画像のアスペクト比に従って非インタレースフォーマットの立体画像をインタレースフォーマットに変換することができる。換言すれば、本発明の方法を使用して、アスペクト比に影響することなく画像を補正することができ、完全にインタレースされた立体画像が形成される。
【００４５】
上記例および説明により、願わくは本発明の特徴および精神について十分に説明がなされた。本発明の教示を保持しながら、装置の多くの変更および代替を行うことができることが当業者により容易に想到されよう。したがって、上記開示は、添付の特許請求の範囲の境界および範囲によってのみ限定されるものと解釈されるべきである。
【図面の簡単な説明】
【００４６】
【図１Ａ】アナグリフ立体画像を示す概略図である。
【図１Ｂ】アナグリフ立体画像を見るための１つのメガネを示す外観図である。
【図２Ａ】左右表示フォーマットがインタレースフォーマットに変換されている立体画像を示す概略図である。
【図２Ｂ】インタレースフォーマットの立体画像を示す概略図である。
【図３Ａ】上下表示フォーマットがインタレースフォーマットに変換されている立体画像を示す概略図である。
【図３Ｂ】インタレースフォーマットの立体画像を示す概略図である。
【図４】本発明の好ましい実施形態による表示システムを示す機能ブロック図である。
【図５Ａ】左右表示フォーマットがインタレースフォーマットに変換されている立体画像を示す概略図である。
【図５Ｂ】本発明により、立体画像のアスペクト比がパネルのアスペクト比に等しいか否かを判断するフローチャートである。
【図５Ｃ】本発明により、左右表示フォーマットの立体画像がインタレースフォーマットに変換されていることを示すフローチャートである。
【図５Ｄ】本発明の方法により形成されている、完全にインタレースされた立体画像を示す概略図である。
【図６Ａ】上下表示フォーマットがインタレースフォーマットに変換されている立体画像を示す概略図である。
【図６Ｂ】本発明の方法により形成されている、完全にインタレースされた立体画像を示す概略図である。
【図７】本発明の好ましい実施形態による変換装置を示す機能ブロック図である。
【符号の説明】
【００４７】
３  表示システム
５、１０、１４  立体画像
１０ａ、１０ｂ、１４ａ、１４ｂ  画像
１２、１６、３６  パネル
３０  デコーダ
３２  スケーラ
３４  変換装置
５０  第１のエッジ
５２  第２のエッジ
５４  境界
Ｓ１００  立体画像の第１のエッジ、第２のエッジ、および境界が求められる
Ｓ１０２  第１のエッジと第２のエッジとの間のエリアを除くパネル上のすべてのピクセルが見つけ出される
Ｓ１０４  各ピクセルの３つのグレーレベルの最大値が第１の閾値よりも大きいか否かが判断される
Ｓ１０６  第１の閾値よりも大きい最大グレーレベルを有するピクセルの数がカウントされる。
Ｓ１０８  カウントされたピクセルの数が第２の閾値よりも大きいか否かが判断される
Ｓ２００  立体画像の左目画像データが複数の第１の走査線に変換される
Ｓ２０２  立体画像の右目画像データが複数の第２の走査線に変換される
Ｓ２０４  すべての第１の走査線およびすべての第２の走査線がインタレースされて、図完全にインタレースされた立体画像が形成される
３４０  処理ユニット
３４２  第１の判断ユニット
３４４  第２の判断ユニット
３４６  変換ユニット
【図１Ａ】
2008118617.tif 000003
【図１Ｂ】
2008118617.tif 000004
【図２Ａ】
2008118617.tif 000005
【図２Ｂ】
2008118617.tif 000006
【図３Ａ】
2008118617.tif 000007
【図３Ｂ】
2008118617.tif 000008
【図４】
2008118617.tif 000009
【図５Ａ】
2008118617.tif 000010
【図５Ｂ】
2008118617.tif 000011
【図５Ｃ】
2008118617.tif 000012
【図５Ｄ】
2008118617.tif 000013
【図６Ａ】
2008118617.tif 000014
【図６Ｂ】
2008118617.tif 000015
【図７】
2008118617.tif 000016